(57)【要約】【課題】扉の開閉方向が左右の何れであっても、被検知部材の取り付け位置を開閉検知部の位置に容易に対応させることができ、コストの増加を抑えることができる衣類処理機を提供する。【解決手段】処理室３を収容する本体ケース２の前面パネル４に形成された開口部４ａを開閉する扉５と、扉５に設けられた被検知部材３９の検知の有無に基づいて扉５の開閉を検知する開閉検知部４４とを備える。扉５は、ヒンジ２８の位置変更により開閉方向が変更でき、本体ケース２の前面パネル４に対向する側に、被検知部材３９が取り付け可能となる複数の取付け部３４，３５，３６，３７を備える。取付け部３４は、被検知部材３９が開閉検知部４４により検知可能となる位置に取り付けできるように配設されている。【選択図】図２
2018075144.tif 000002
【特許請求の範囲】
【請求項１】
処理室を収容する本体ケースと、該本体ケースの前面パネルに形成されて、前記処理室に衣類を出し入れするための開口部と、前記本体ケースにヒンジを介して連結されて前記開口部を開閉する扉と、該扉に設けられた被検知部材の検知の有無に基づいて該扉の開閉を検知する開閉検知部とを備える衣類処理機において、
前記扉は、前記ヒンジの位置を変更することで複数の開閉方向に設定可能であり、前記本体ケースの前面パネルに対向する側に、前記被検知部材が取り付け可能となる複数の取付け部を備え、
各取付け部は、前記扉を前記複数の開閉方向の何れに設定した場合でも、前記被検知部材が前記開閉検知部により検知可能となる位置に取り付けできるように配設されていることを特徴とする衣類処理機。
【請求項２】
請求項１記載の衣類処理機において、
前記扉は、枠部と、該枠部に保持されて処理室が視認可能となる透明板による窓部材と、前記枠部に設けられて該窓部材を固定する複数の固定部とを備え、
各固定部は、夫々が前記取付け部として前記被検知部材が取り付け可能に形成されていることを特徴とする衣類処理機。
【請求項３】
請求項１又は２記載の衣類処理機において、
前記扉には、前記本体ケースの前面パネルに対向する側に構成部品が露出する複数の部品露出部が形成されており、
前記取付け部は、各部品露出部を内包すると共に各部品露出部を覆い隠す複数の隠蔽部材が取り付け可能とされ、
各隠蔽部材のうち少なくとも１つは前記被検知部材であることを特徴とする衣類処理機。
【請求項４】
請求項１記載の衣類処理機において、
前記扉は、該扉の前記本体ケースの前面パネルに対向する側を被覆する複数の被覆板を備え、
前記取付け部は、各被覆板が取り付け可能に形成され、
各被覆板のうち少なくとも１つは前記被検知部材であることを特徴とする衣類処理機。
【発明の詳細な説明】
【技術分野】
【０００１】
本発明は、衣類、タオル、シーツ等を投入して洗濯や乾燥等の処理を行う衣類処理機に関する。
【背景技術】
【０００２】
衣類処理機の一例として衣類乾燥機を挙げると、従来、衣類乾燥機は、回転ドラム等の乾燥室（処理室）を収容する本体ケースと、本体ケースの前面パネルに形成されて、乾燥室へ衣類を出し入れするための開口部と、開口部を開閉する扉とを備えている。乾燥運転時には、洗濯後の衣類等が投入された乾燥室内に温風を供給し、同時に回転ドラムを回転させることによって内部の衣類を乾燥させる。
【０００３】
また、衣類乾燥機等の衣類処理機においては、扉に設けられた突起（被検知部材）の検知の有無に基づいて扉の開閉を検知する開閉検知部を備たものが知られている（例えば特許文献１参照）。
【０００４】
開閉検知部による扉の開閉状態を検知することにより、乾燥室（処理室）の閉塞状態を容易に判断することができ、例えば、扉と本体ケースとの間に衣類を挟み込んだ状態で乾燥等の処理運転が行われること等を防止することができる。
【先行技術文献】
【特許文献】
【０００５】
【特許文献１】特開２０１５−８７７３号公報
【発明の概要】
【発明が解決しようとする課題】
【０００６】
ところで、上記従来の衣類処理機のように主に前面で開閉する扉を有するものにおいては、設置場所に合わせて扉の開閉方向が選択できるようにすることで使い勝手が向上する。
【０００７】
しかし、扉の取っ手が右側に位置する（ヒンジが左側に位置する）右開き扉と、扉の取っ手が左側に位置する（ヒンジが右側に位置する）左開き扉とを共通で用いようとすると、何れかの扉が、本体ケースに設けられる開閉検知部の位置と合わなくなる。
【０００８】
具体的には、開閉検知部の位置が扉の右上に位置する場合、右開き扉を回転させて左開き扉として用いると、扉に設けた突起（被検知部材）が左下に位置してしまい、開閉検知部の位置に対応しなくなる。このため、右開き用の扉を左開き用扉として共通使用することができず、左右の開き方向に応じて専用の扉を用意する必要があることにより、コスト高となる不都合がある。
【０００９】
上記の点に鑑み、本発明は、扉の開閉方向が左右の何れであっても、被検知部材の取り付け位置を開閉検知部の位置に容易に対応させることができ、コストの増加を抑えることができる衣類処理機を提供することを目的とする。
【課題を解決するための手段】
【００１０】
かかる目的を達成するために、本発明は、処理室を収容する本体ケースと、該本体ケースの前面パネルに形成されて、前記処理室に衣類を出し入れするための開口部と、前記本体ケースにヒンジを介して連結されて前記開口部を開閉する扉と、該扉に設けられた被検知部材の検知の有無に基づいて該扉の開閉を検知する開閉検知部とを備える衣類処理機において、前記扉は、前記ヒンジの位置を変更することで複数の開閉方向に設定可能であり、前記本体ケースの前面パネルに対向する側に、前記被検知部材が取り付け可能となる複数の取付け部を備え、各取付け部は、前記扉を前記複数の開閉方向の何れに設定した場合でも、前記被検知部材が前記開閉検知部により検知可能となる位置に取り付けできるように配設されていることを特徴とする。
【００１１】
本発明によれば、例えば、右開き扉の被検知部材と開閉検知部との位置関係に対して、左開き扉の被検知部材と開閉検知部との位置関係が異なる場合であっても、開閉検知部に対応する位置の取付け部に被検知部材を取り付ければよいので、同じ扉を用いて左右の何れの開き方向にも容易に対応させることができ、コスト増加を抑えることができる。
【００１２】
また、本発明において、前記扉は、枠部と、該枠部に保持されて処理室が視認可能となる透明板による窓部材と、前記枠部に設けられて該窓部材を固定する複数の固定部とを備え、各固定部は、夫々が前記取付け部として前記被検知部材が取り付け可能に形成されていることを特徴とする。
【００１３】
各固定部を取付け部として被検知部材を取り付け可能とすることにより、固定部と取付け部とを異なる位置に設ける場合に比して製造容易とすることができる。
【００１４】
また、本発明において、前記扉には、前記本体ケースの前面パネルに対向する側に構成部品が露出する複数の部品露出部が形成されており、前記取付け部は、各部品露出部を内包すると共に各部品露出部を覆い隠す複数の隠蔽部材が取り付け可能とされ、各隠蔽部材のうち少なくとも１つは前記被検知部材であることを特徴とする。
【００１５】
隠蔽部材は、部品露出部を覆って扉の外観を向上させるだけでなく、少なくとも１つの隠蔽部材が被検知部材であることにより、隠蔽部材の取付けと同時に被検知部材の取付けが完了するので、製造容易とすることができ、部品点数も削減できるのでコスト増加が防止できる。
【００１６】
また、本発明において、前記扉は、該扉の前記本体ケースの前面パネルに対向する側を被覆する複数の被覆板を備え、前記取付け部は、各被覆板が取り付け可能に形成され、各被覆板のうち少なくとも１つは前記被検知部材であることを特徴とする。
【００１７】
被覆板は、扉の本体ケースの前面パネルに対向する側（背面側）を被覆することにより、扉の裏面を隠して扉の外観を向上させる。このとき、被覆板が複数に分割され、扉の裏面に各被覆板が取り付け可能となる前記取付け部が設けられていることで、被覆板の１つを被検知部材とし、本体ケース側の開閉検知部に対応させることができる。こうすることで、部品点数が少なくなり、コスト増加を抑えることができる。
【図面の簡単な説明】
【００１８】
【図１】本発明の実施形態の衣類処理機の構成を模式的に示す図。
【図２】本実施形態の衣類処理機の説明的正面図。
【図３】本実施形態における扉の背面図。
【図４】本実施形態における扉の要部の説明的断面図。
【図５】図５Ａは突起を有する隠蔽部材の斜視図。図５Ｂは隠蔽部材の斜視図。
【図６】他の実施形態の衣類処理機の説明的正面図。
【発明を実施するための形態】
【００１９】
本発明の一実施形態を図面に基づいて説明する。本実施形態においては衣類処理機として衣類、タオル、シーツ等を投入して乾燥処理を行う衣類乾燥機を挙げて説明する。図１に示すように、衣類乾燥機１は、本体ケース２と、処理室として設けられた回転ドラム３とを備えている。本体ケース２の前面を構成している前面パネル４には、衣類Ｗを出し入れするための開口部４ａが形成されている。
【００２０】
開口部４ａは、片開き式の扉５で覆われている。開口部４ａの内側には、回転ドラム３が回動自在な状態で軸支されている。
【００２１】
回転ドラム３は、回転軸線（図示省略）が水平方向となる姿勢で設けられている。本体ケース２の開口部４ａ側を向く回転ドラム３の端部には、正面開放部６が形成されている。正面開放部６の外周は、リング板７によって回動自在な状態で本体ケース２に支持されている。
【００２２】
一方、回転ドラム３の奥壁８は、本体ケース２の支持軸９によって回動自在な状態で支持されている。回転ドラム３の奥壁８の内側には、フィルタ１０が設けられている。回転ドラム３の奥壁８の外側（背面側）には、回転ドラム３内の空気を本体ケース２の外部へ導く排気ダクト１１が設けられている。
【００２３】
排気ダクト１１は、回転ドラム３の奥壁８の外側から本体ケース２の上部の排気口１２へ向かって延設されている。排気ダクト１１内には、排気ファン１３が組み込まれている。
【００２４】
排気ファン１３は、その回転により回転ドラム３内の空気を排出すると共に、回転ドラム３内に温風を引き込む気流を発生させる。即ち、排気ファン１３が回転すると、外気が本体ケース２の底部に形成されている給気口１４から本体ケース２の内部へ取り込まれる。本体ケース２の内部へ取り込まれた外気は、後述するガスバーナ２３の炎に加熱されて温風となり、後述する温風ダクト１７を通って回転ドラム３内へ送られる。そして、回転ドラム３の内部で衣類Ｗの湿気を吸収した温風はフィルタ１０を通過して排気ダクト１１へ向かい、排気口１２から本体ケース２の外部へ排出される。
【００２５】
本体ケース２内には、回転ドラム３および排気ファン１３を回転させるためのモータ１５と、外気を加熱して温風を生成する燃焼ユニット１６と、温風を回転ドラム３内へ導く温風ダクト１７とが設けられている。更に、乾燥運転時にモータ１５の駆動や燃焼ユニット１６の点消火動作等を制御するコントローラ１８が設けられている。
【００２６】
モータ１５は、二つの駆動軸（第１駆動軸１９、第２駆動軸２０）を備えている。第１駆動軸１９の回転力は、第１伝動ベルト２１を介して回転ドラム３へ伝達され、回転ドラム３を回転させる。回転ドラム３の回転は、内部に収容されている衣類Ｗを定位置に止めることなく常に動かすために行われる。
【００２７】
第２駆動軸２０の回転力は、第２伝動ベルト２２を介して排気ファン１３へ伝達され、排気ファン１３を回転させる。排気ファン１３の回転により、回転ドラム３内部に気流が形成される。
【００２８】
燃焼ユニット１６は、ガスバーナ２３、ガス噴射ノズル２４、及び、ガス供給弁装置２５を備えることにより構成されている。ガス供給弁装置２５から供給された燃料ガスは、ガス噴射ノズル２４からガスバーナ２３のガス入口２６へ向けて噴射される。これにより、燃料ガスがガス入口２６周辺の空気と共にガスバーナ２３に導かれて燃焼し、外気が加熱される。なお、ガスバーナ２３へ供給する燃焼用空気も、加熱するための空気と同じく本体ケース２の底部の給気口１４から取り込まれる。
【００２９】
温風ダクト１７は、ガスバーナ２３の上方からリング板７に形成された温風出口２７まで延設されており、ガスバーナ２３により加熱生成された温風は、温風ダクト１７を通って温風出口２７へ導かれ、回転ドラム３内へ送り込まれる。
【００３０】
回転ドラム３の内部に送り込まれた温風は、回転する回転ドラム３に収容されている衣類Ｗを乾燥させた後、フィルタ１０を経て排気口１２から排気される。
【００３１】
また、図２に示すように、扉５は、本体ケース２の前面パネル４にヒンジ２８を介して連結された枠部２９と、枠部２９に保持されて回転ドラム３の内部が視認可能となる透明板による窓部材３０とを備えている。枠部２９におけるヒンジ２８と反対側には、図示しないロック機構を備える取っ手部３１が設けられている。
【００３２】
図３に示すように、枠部２９には、背面側（前面パネル４に対向する側）を覆う複数（上側と下側との２つ）の被覆板３２，３３と、窓部材３０を固定する複数（本実施形態では４箇所）の固定部３４，３５，３６，３７（取付け部・部品露出部）とが設けられている。
【００３３】
窓部材３０は、各固定部３４，３５，３６，３７の位置をビス止めすることにより枠部２９に固定されている。各固定部３４，３５，３６，３７には、図３及び図４に示すように、窓部材３０を固定するビス３８を隠す隠蔽部材３９（４０，４１，４２）が嵌め込まれている。ビス３８は、隠蔽部材３９（４０，４１，４２）により隠される本発明における構成部品に相当する。
【００３４】
図４及び図５Ａに示すように、一つの隠蔽部材３９には突起４３が設けられており、図３及び図５Ｂに示すように、他の隠蔽部材４０，４１，４２には突起がなく平坦な外面となる形状に形成されている。突起４３を備える隠蔽部材３９は、本発明の被検知部材として機能する。被検知部材は、本体ケース２に設けられている後述の開閉検知部４４によって検知されるものである。
【００３５】
図２及び図３に示すように、開閉検知部４４はリミットスイッチにより構成されている。扉５が閉じると、突起４３は、図４に示すように、前面パネル４の孔部４ｂを介して開閉検知部４４を押圧する。突起４３の押圧を受けた開閉検知部４４はＯＮ信号をコントローラ１８（図１参照）へ送る。扉５が開くと、突起４３による開閉検知部４４の押圧が解除され、開閉検知部４４がＯＦＦとなる。コントローラ１８は、開閉検知部４４がＯＦＦのとき、例えば、回転ドラム３の回転を停止させる等の制御を行う。
【００３６】
ところで、設置場所によっては、図２に示す右開きの扉５では開閉し難く、この場合には、図６に示すように左開きの扉５を備える衣類乾燥機１が所望される。
【００３７】
図２に示すように、右開きの扉５は、ヒンジ２８が左側、取っ手部３１が右側、開閉検知部４４が右側上方に配置されている。これを左開きにすると、図６に示すように、左開きの扉５は、ヒンジ２８が右側、取っ手部３１が左側に配置される。そして、右開きと左開きとの何れの場合であっても、開閉検知部４４の位置は右側上方に配置された状態は変わらないため、右開きの扉５と左開きの扉５とを左右共通で用いることができない。即ち、右開きの扉５を１８０°回転させて左開きの扉５とした場合には、ヒンジ２８と取っ手部３１の位置が左右に入れ換わるものの、開閉検知部４４に対応する突起４３の位置が合わなくなる。
【００３８】
そこで、図３に示すように、２つの固定部３４，３６の位置を夫々開閉検知部４４の位置に合うように設けておき、扉５の開き方向に応じて突起４３を有する隠蔽部材３９と突起４３を有していない隠蔽部材４０，４１，４２の何れかとを付け換えることを可能とした。前記２つの固定部３４，３６は、扉５の中心を対称点とする点対称の位置に設けられる（扉５の表裏をそのままにして扉５の天地を１８０°回転させたときに、同じ位置となる）。
【００３９】
これにより、図６に示すように、右開きの扉５を１８０°回転させて左開きの扉５とし、突起４３を有する隠蔽部材３９と突起４３を有していない隠蔽部材４１とを付け換えるだけで、同じ構成の扉５を極めて簡単に左右の開き方向の何れにも対応させることができ、コスト増加を抑えることができる。
【００４０】
なお、本実施形態においては、開閉検知部４４としてリミットスイッチを採用したことにより、被検知部材として図５Ａに示すように突起４３を備える隠蔽部材３９を設けたが、これに限るものではない。具体的には、図示しないが、開閉検知部としてリードスイッチを採用し、被検知部材としてマグネットを備える隠蔽部材を設けてもよい。
【００４１】
また、突起やマグネットを備える被検知部材としては、本実施形態の隠蔽部材３９以外に、図示しないが、被覆板に対して採用することができる。即ち、扉５の開き方向に応じて突起を有する被覆板と突起を有していない被覆板とを付け換え可能とすればよい。この場合、扉の枠部の背面側が本発明の取付け部に相当するものとなる。
【００４２】
また、本実施形態においては、衣類処理機として衣類等の乾燥処理を行う衣類乾燥機を挙げて説明したが、本発明はこれに限らず、例えば、衣類等の洗濯処理を行う衣類洗濯機や衣類洗濯乾燥機等に対しても好適に採用することができる。
【符号の説明】
【００４３】
１…衣類乾燥機（衣類処理機）、２…本体ケース、３…回転ドラム（処理室）、４…前面パネル、４ａ…開口部、５…扉、２８…ヒンジ、２９…枠部、３０…窓部材、３２，３３…被覆板、３４，３５，３６，３７…固定部（取付け部・部品露出部）、３８…ビス（構成部品）、３９…隠蔽部材（被検知部材）、４０，４１，４２…隠蔽部材、４４…開閉検知部。
【図１】
2018075144.tif 000003
【図２】
2018075144.tif 000004
【図３】
2018075144.tif 000005
【図４】
2018075144.tif 000006
【図５】
2018075144.tif 000007
【図６】
2018075144.tif 000008